(57)【要約】【課題】光ファイバの切断前後で、光ファイバを光ファイバホルダから取り外すことなく、光ファイバホルダ端部から光ファイバ切断箇所までの長さを所定の長さとすることが可能な光ファイバホルダを提供する。【解決手段】本発明に係る光ファイバホルダ１０は、光ファイバ２５を設置する第１の溝１１を有する基板１３と、第１の溝１１を開閉自在に覆う２個の蓋１５、１６を備える。基板１３と蓋１５、１６には磁石が内蔵されており、基板１３は、２本の延伸部１９を備える。延伸部１９に近い側の第１の蓋１６が第２の溝を有し、第１の蓋１６を閉じると、第１の溝１１と第２の溝との間で光ファイバ２５を長手方向に動かすことができるように把持し、延伸部１９から遠い側の第２の蓋１５を閉じると、第２の蓋１５が第１の溝１６に対して光ファイバ２５を押圧して動かない状態で把持することを特徴とする。【選択図】図２
2011169975.tif 000002
【特許請求の範囲】
【請求項１】
光ファイバを設置する第１の溝を有する基板と、前記第１の溝を開閉自在に覆う２個の蓋を備え、前記基板と前記蓋に磁石が内蔵された光ファイバホルダであって、
前記基板は、２本の延伸部を備え、
前記延伸部に近い側の第１の蓋が第２の溝を有し、該第１の蓋を閉じると、前記第１の溝と前記第２の溝との間で前記光ファイバを長手方向に動かすことができるように把持し、
前記延伸部から遠い側の第２の蓋を閉じると、該第２の蓋が前記第１の溝に対して前記光ファイバを押圧して動かない状態で把持すること
を特徴とする光ファイバホルダ。
【請求項２】
光ファイバを設置する第１の溝を有する基板と、前記第１の溝を開閉自在に覆う２個の蓋を備え、前記基板と前記蓋に磁石が内蔵された光ファイバホルダであって、
前記基板は、２本の延伸部を備える固定部と、前記２本の延伸部の間で長手方向に動かすことができる可動部とから構成され、
前記可動部は、第２の溝を有する第１の蓋を備え、前記固定部は、第２の蓋を備え、
前記可動部の前記第１の蓋を閉じると、前記第１の溝と前記第２の溝との間で前記光ファイバを長手方向に動かすことができるように把持し、
前記固定部の前記第２の蓋を閉じると、該第２の蓋が前記第１の溝に対して前記光ファイバを押圧して動かない状態で把持すること
を特徴とする光ファイバホルダ。
【請求項３】
前記延伸部の長さは４０ｍｍ以上であり、
前記２本の延伸部の間隔は９ｍｍ以上であること
を特徴とする請求項１または２に記載の光ファイバホルダ。
【請求項４】
前記第１の溝の断面形状がＶ字形状であり、
前記第１の蓋を閉じたときの前記第１の溝の底部から前記第１の蓋までの距離が０．３７５ｍｍ以上であり、
前記第２の蓋を閉じたときの前記第１の溝の底部から前記第２の蓋までの距離が０．３７５ｍｍ未満であること
を特徴とする請求項１乃至３のいずれかに記載の光ファイバホルダ。
【請求項５】
前記第１の溝の断面形状がＵ字形状であり、
前記第１の蓋を閉じたときの前記第１の溝の底部から前記第１の蓋までの距離が０．２５ｍｍ以上であり、
前記第２の蓋を閉じたときの前記第１の溝の底部から前記第２の蓋までの距離が０．２５ｍｍ未満であること
を特徴とする請求項１乃至３のいずれかに記載の光ファイバホルダ。
【請求項６】
請求項１に記載の光ファイバホルダへの光ファイバの把持方法であって、
先端部の被覆を除去してガラスを露出させた光ファイバを、ガラスを露出させた側が前記延伸部側に位置するように前記第１の溝へ設置し、前記第１の蓋を閉じて前記光ファイバを長手方向に動かすことができる状態で把持する工程と、
前記光ファイバの被覆除去開始箇所を前記延伸部の先端と一致させる工程と、
前記第２の蓋を閉じて、前記光ファイバを前記光ファイバホルダに固定する工程と
を含むことを特徴とする光ファイバホルダへの光ファイバ把持方法。
【請求項７】
請求項２に記載の光ファイバホルダへの光ファイバの把持方法であって、
先端部の被覆を除去してガラスを露出させた光ファイバを、ガラスを露出させた側が前記延伸部側に位置するように前記第１の溝へ設置し、前記可動部の前記第１の蓋を閉じて前記光ファイバを長手方向に動かすことができる状態で把持する工程と、
前記可動部を前記延伸部の先端位置へ移動させる工程と、
前記光ファイバの被覆除去開始箇所を前記延伸部の先端と一致させる工程と、
前記固定部の前記第２の蓋を閉じて、前記光ファイバを前記光ファイバホルダに固定する工程と
を含むことを特徴とする光ファイバホルダへの光ファイバ把持方法。
【請求項８】
請求項６または７に記載の光ファイバ把持方法で光ファイバを把持した光ファイバホルダを使用した光コネクタ組立方法であって、
光コネクタが前記２本の延伸部の間に位置するように前記光ファイバホルダを設置し、前記光ファイバホルダを前記光コネクタへ向かって前進させ、前記光ファイバを前記光コネクタ内へ挿入すること
を特徴とする光コネクタ組立方法。
【発明の詳細な説明】
【技術分野】
【０００１】
本発明は、光コネクタの組立で使用する、光ファイバを把持する光ファイバホルダに関する。
【背景技術】
【０００２】
融着接続等の光ファイバ接続では、光ファイバの被覆除去や被覆を除去した光ファイバのガラスの切断といった光ファイバ心線処理の工程が必要であり、これらの工程では光ファイバを把持する光ファイバホルダが使用される。そのような光ファイバホルダとして、いくつかの光ファイバホルダが提案されている（例えば、特許文献１および２参照）。
【０００３】
図１７に、従来の光ファイバホルダ１００を示す。従来の光ファイバホルダ１００は、光ファイバ１０１を配置する溝１０３を有する基板１０５と、基板１０５を覆う蓋１０７とで構成される。基板１０５と蓋１０７には磁石が埋め込まれており、光ファイバ１０１を溝１０３へ配置した後に蓋１０７を閉じることで、蓋１０７と基板１０５が磁石により吸着し、蓋１０７が光ファイバ１０１を溝１０３へ押し付けて光ファイバ１０１を把持する。より具体的には、蓋１０７を閉じる前に、光ファイバホルダ１００の端部から光ファイバ１０１の先端部までの長さを所定の長さとした後、蓋１０７を閉じて光ファイバ１０１を溝１０３と蓋１０７の間で把持する。
【０００４】
図１８に、光ファイバホルダ１００で把持した光ファイバ１０１のガラス１０２をカッタ１１１により切断するときの断面模式図を示す。光ファイバ１０１の被覆を除去し、ガラス１０２が露出した状態で、光ファイバ１０１の被覆が付いた部分を光ファイバホルダ１００で把持する。次いで、光ファイバホルダ１００を、カッタ１１１の光ファイバホルダ搭載位置１１３に載せて、カッタ１１１の刃１１５によりガラス１０２を切断する。ガラス１０２を切断した後、光ファイバ１０１を光ファイバホルダ１００で把持したまま、融着接続器やメカニカルスプライスなどの光ファイバ接続器の所定の位置に載せて、光ファイバ１０１を接続する。
【０００５】
このように、光ファイバホルダ１００を使用することで、光ファイバ１０１の切断面から光ファイバホルダ１００の端部までの長さを一定とした状態で、光ファイバ１０１を光ファイバ接続器に接続することができる。したがって、光ファイバ１０１を光ファイバホルダ１００から取り外さない限り、光ファイバホルダ１００を光ファイバ接続器の所定位置に搭載したときの光ファイバ切断面、すなわち接続面の位置を一定にしたまま、光ファイバ１０１を光ファイバ接続器に接続することができる。
【先行技術文献】
【特許文献】
【０００６】
【特許文献１】特許第３２８７４３３号公報
【特許文献２】特許第４１７７３６２号公報
【特許文献３】特開２００９−１９２９０８号公報
【発明の概要】
【発明が解決しようとする課題】
【０００７】
光ファイバ接続器として、特許文献３に開示されているような光コネクタがある。この光コネクタでは、光コネクタの長さが４０ｍｍ程度であるため、光コネクタの内部に４０ｍｍ程度の長さの光ファイバを挿入する必要がある。また、上述したように、光ファイバホルダを使用して光ファイバのガラスを切断した後、光ファイバを取り外すことなく、光ファイバホルダで把持したまま、光ファイバを光コネクタの内部へ挿入することが望ましい。さらに、光ファイバを光コネクタの内部へ挿入するときは、光ファイバホルダ端部から光ファイバ切断面の長さだけではなく、被覆を除去して露出させたガラスの長さも一定であることが望ましい。そのため、図１９に示すように、光ファイバホルダ１００の端部から光ファイバ１０１の先端部までの長さＬ１を４０ｍｍ以上とし、さらに光ファイバホルダの端部から被覆除去開始箇所１１７までの長さも所定の長さとしてから、蓋１０７を閉じて光ファイバ１０１を光ファイバホルダ１００で把持する。
【０００８】
一方、光ファイバは一般的に、巻かれた状態で保管されているため、巻き癖が付いて湾曲していることが多い。湾曲した光ファイバであっても、図１７に示した従来例のように、光ファイバホルダ端部から光ファイバ先端部までの長さが短い状態で光ファイバを把持する場合は、光ファイバを溝へ載せて光ファイバホルダ端部から光ファイバ先端部までの長さを調整して蓋を閉じる作業は容易である。しかしながら、光ファイバホルダ端部から光ファイバ先端部までの長さが４０ｍｍ以上と長い場合、湾曲した光ファイバの、光ファイバホルダ端部から光ファイバ先端部までの所定の長さを調整して、蓋を閉じる作業は困難である。
【０００９】
さらに、光ファイバホルダ端部から光ファイバ先端部までの長さを４０ｍｍ以上とした光ファイバホルダを通常のカッタで切断するときにも問題がある。光ファイバが長すぎると、光ファイバホルダをカッタの光ファイバホルダ搭載位置へ載せることができない。そのため、図２０に示すように、光ファイバホルダ搭載位置１２３に延伸部１２５を設けた特殊なカッタ１２１を使用して、光ファイバ１０１を把持した光ファイバホルダ１００を延伸部１２５へ載せて、光ファイバ１０１を切断していた。つまり、光ファイバホルダの端部から光ファイバの先端部までの長さを長くして、光ファイバ１０１を光ファイバホルダ１００で把持した場合、通常のカッタでは光ファイバを切断できないという問題があった。
【００１０】
一方、通常のカッタを使用して、このような問題に対処する方法もある。具体的には、、通常のカッタを使用することができる長さで光ファイバを光ファイバホルダで把持して、光ファイバを切断した後、光ファイバホルダから光ファイバを一旦取り外して、光ファイバホルダ端部から光ファイバ先端部までの長さが光コネクタへ挿入するために必要な長さである４０ｍｍ以上とし、さらに、光ファイバホルダ端部から被覆除去箇所までの長さも所定の長さとしてから、光ファイバを光ファイバホルダで把持し直す方法である。しかしながら、このような方法では、光ファイバを切断した後に、光ファイバホルダから光ファイバを取り外してその長さをを調整し、再度、光ファイバを把持する作業が必要となるため、光コネクタの組立の作業効率が低下してしまうという問題があった。
【００１１】
本発明は、このような問題を解決すべくなされたものであり、その目的とするところは、光ファイバホルダを通常のカッタの所定の光ファイバホルダ搭載位置に載せて光ファイバを切断した後で、光ファイバを光ファイバホルダから取り外すことなく、光ファイバホルダ端部から光ファイバ切断箇所までの長さを所定の長さとすることが可能な光ファイバホルダを提供することにある。
【課題を解決するための手段】
【００１２】
このような目的を達成するために、請求項１に記載の発明は、光ファイバを設置する第１の溝を有する基板と、前記第１の溝を開閉自在に覆う２個の蓋を備え、前記基板と前記蓋に磁石が内蔵された光ファイバホルダであって、前記基板は、２本の延伸部を備え、前記延伸部に近い側の第１の蓋が第２の溝を有し、該第１の蓋を閉じると、前記第１の溝と前記第２の溝との間で前記光ファイバを長手方向に動かすことができるように把持し、前記延伸部から遠い側の第２の蓋を閉じると、該第２の蓋が前記第１の溝に対して前記光ファイバを押圧して動かない状態で把持することを特徴とする。
【００１３】
また、請求項２に記載の発明は、光ファイバを設置する第１の溝を有する基板と、前記第１の溝を開閉自在に覆う２個の蓋を備え、前記基板と前記蓋に磁石が内蔵された光ファイバホルダであって、前記基板は、２本の延伸部を備える固定部と、前記２本の延伸部の間で長手方向に動かすことができる可動部とから構成され、前記可動部は、第２の溝を有する第１の蓋を備え、前記固定部は、第２の蓋を備え、前記可動部の前記第１の蓋を閉じると、前記第１の溝と前記第２の溝との間で前記光ファイバを長手方向に動かすことができるように把持し、前記固定部の前記第２の蓋を閉じると、該第２の蓋が前記第１の溝に対して前記光ファイバを押圧して動かない状態で把持することを特徴とする。
【００１４】
また、請求項３に記載の発明は、請求項１または２に記載の光ファイバホルダであって、前記延伸部の長さは４０ｍｍ以上であり、前記２本の延伸部の間隔は９ｍｍ以上であることを特徴とする。
【００１５】
また、請求項４に記載の発明は、請求項１乃至３のいずれかに記載の光ファイバホルダであって、前記第１の溝の断面形状がＶ字形状であり、前記第１の蓋を閉じたときの前記第１の溝の底部から前記第１の蓋までの距離が０．３７５ｍｍ以上であり、前記第２の蓋を閉じたときの前記第１の溝の底部から前記第２の蓋までの距離が０．３７５ｍｍ未満であることを特徴とする。
【００１６】
また、請求項５に記載の発明は、請求項１乃至３のいずれかに記載の光ファイバホルダであって、前記第１の溝の断面形状がＵ字形状であり、前記第１の蓋を閉じたときの前記第１の溝の底部から前記第１の蓋までの距離が０．２５ｍｍ以上であり、前記第２の蓋を閉じたときの前記第１の溝の底部から前記第２の蓋までの距離が０．２５ｍｍ未満であることを特徴とする。
【００１７】
また、請求項６に記載の発明は、請求項１に記載の光ファイバホルダへの光ファイバの把持方法であって、先端部の被覆を除去してガラスを露出させた光ファイバを、ガラスを露出させた側が前記延伸部側に位置するように前記第１の溝へ設置し、前記第１の蓋を閉じて前記光ファイバを長手方向に動かすことができる状態で把持する工程と、前記光ファイバの被覆除去開始箇所を前記延伸部の先端と一致させる工程と、前記第２の蓋を閉じて、前記光ファイバを前記光ファイバホルダに固定する工程とを含むことを特徴とする。
【００１８】
また、請求項７に記載の発明は、請求項２に記載の光ファイバホルダへの光ファイバの把持方法であって、先端部の被覆を除去してガラスを露出させた光ファイバを、ガラスを露出させた側が前記延伸部側に位置するように前記第１の溝へ設置し、前記可動部の前記第１の蓋を閉じて前記光ファイバを長手方向に動かすことができる状態で把持する工程と、前記可動部を前記延伸部の先端位置へ移動させる工程と、前記光ファイバの被覆除去開始箇所を前記延伸部の先端と一致させる工程と、前記固定部の前記第２の蓋を閉じて、前記光ファイバを前記光ファイバホルダに固定する工程とを含むことを特徴とする。
【００１９】
また、請求項８に記載の発明は、請求項６または７に記載の光ファイバ把持方法で光ファイバを把持した光ファイバホルダを使用した光コネクタ組立方法であって、光コネクタが前記２本の延伸部の間に位置するように前記光ファイバホルダを設置し、前記光ファイバホルダを前記光コネクタへ向かって前進させ、前記光ファイバを前記光コネクタ内へ挿入することを特徴とする。
【発明の効果】
【００２０】
本発明の光ファイバホルダを使用することで、光コネクタ内に４０ｍｍ以上の光ファイバを挿入する必要がある場合でも、光ファイバ先端部を光ファイバホルダの端部から４０ｍｍ以上の長さとなる状態で光ファイバを把持した状態のまま、通常のカッタで光ファイバを切断することができる。光ファイバホルダ端部から光ファイバ先端部までの長さを４０ｍｍ以上として光ファイバを把持するとき、光ファイバを押圧しない状態で緩く把持できるため、湾曲した光ファイバであっても、光ファイバホルダ端部からの光ファイバ先端部までの長さを調整して光ファイバを把持する作業が容易になる。
【図面の簡単な説明】
【００２１】
【図１】実施例１の光ファイバホルダを示す模式図である。
【図２】実施例１の光ファイバホルダで光ファイバを把持した状態を示す模式図である。
【図３】光ファイバを把持した状態の実施例１の光ファイバホルダの断面を示す模式図である。
【図４】光ファイバを溝へ設置し、蓋を開けた状態の実施例１の光ファイバホルダを示す模式図である。
【図５】光ファイバ非固定部の蓋のみを閉じた実施例１の光ファイバホルダを示す模式図である。
【図６】実施例１の光ファイバホルダをカッタへ搭載したときの断面を示す模式図である。
【図７】光ファイバ切断後の実施例１の光ファイバホルダを示す模式図である。
【図８】実施例１の光ファイバホルダで把持した光ファイバを光コネクタへ挿入した状態を示す模式図である。
【図９】実施例２の光ファイバホルダを示す模式図である。
【図１０】実施例２の光ファイバホルダで光ファイバを把持した状態を示す模式図である。
【図１１】光ファイバを把持した状態の実施例２の光ファイバホルダの断面を示す模式図である。
【図１２】可動部の蓋のみを閉じた実施例２の光ファイバホルダを示す模式図である。
【図１３】可動部と固定部の蓋を閉じた実施例２の光ファイバホルダを示す模式図である。
【図１４】実施例２の光ファイバホルダをカッタへ搭載したときの断面を示す模式図である。
【図１５】光ファイバ切断後の実施例２の光ファイバホルダを示す模式図である。
【図１６】実施例２の光ファイバホルダで把持した光ファイバを光コネクタへ挿入した状態を示す模式図である。
【図１７】従来の光ファイバホルダを示す模式図である。
【図１８】従来の光ファイバホルダをカッタへ搭載したときの断面を示す模式図である。
【図１９】従来の光ファイバホルダを示す模式図である。
【図２０】従来の光ファイバホルダを特殊カッタへ搭載したときの断面を示す模式図である。
【発明を実施するための形態】
【００２２】
以下に、図面を参照しながら、本発明の実施例について詳細に説明する。なお、複数の図面において同一の符号は同一物を表し、その繰り返しの説明は省略する。
【００２３】
（実施例１）
図１に、本発明の実施例１に係る光ファイバホルダ１０を示す。光ファイバフォルダ１０は、光ファイバを設置する溝１１を有する基板１３と、基板１３の溝１１を開閉自在に覆う２個の蓋１５、１６で構成される。基板１３と蓋１５、１６は磁石を内蔵しており、互いに吸着する。基板１３は、溝１１が形成された光ファイバ設置部１７と、光ファイバ設置部１７から延伸した２本の延伸部１９で構成される。光ファイバ設置部１７はさらに、光ファイバ固定部２１と光ファイバ非固定部２３で構成される。
【００２４】
図２に、光ファイバ２５を把持した光ファイバホルダ１０を示す。光ファイバ２５は、被覆が付いた状態では断面直径が０．２５ｍｍであり、被覆を除去してガラス２７が露出した状態では断面直径が０．１２５ｍｍである。光ファイバ２５は、ガラス２７が露出した側を延伸部１９側に位置するように把持する。
【００２５】
図３に、光ファイバ２５を把持した状態の光ファイバホルダ１０の光ファイバ非固定部２３における断面図（ａ）と光ファイバ固定部２１における断面図（ｂ）を示す。光ファイバ非固定部２３と光ファイバ固定部２１における溝１１の形状はＶ字形状であり、溝１１の底部の角度は６０度である。また、光ファイバ非固定部２３と光ファイバ固定部２１において、溝１１の深さは同じである。光ファイバ非固定部２３は、蓋１６が矩形状の溝２９を有するので、光ファイバ２５を緩く把持する。一方、光ファイバ固定部２１は、光ファイバ２５を動かない状態で把持する。例えば、底部の角度が６０度であるＶ字形状の溝１１に、直径０．２５ｍｍの光ファイバ２５を設置する場合、溝１１の底部から光ファイバ２５の上部までの距離は０．３７５ｍｍである。光ファイバ非固定部２３では、溝１１の底部から蓋１６までの距離を０．３７５ｍｍ以上とすることで、蓋１６が溝１１に対して光ファイバ２５を押圧していない状態とすることができる。
【００２６】
上述したように、光ファイバ非固定部２３では、蓋１６に矩形状の溝２９を設けているため、蓋１６を閉じたときに光ファイバ２５を溝１１に対して押圧せずに緩く把持した状態となる。そのため、蓋１６を閉じても、光ファイバ２５を長手方向に動かすことができる。一方、光ファイバ固定部２１では、溝１１の底部から蓋１５までの距離を０．３７５ｍｍ未満とすることで、蓋１５が溝１１に対して光ファイバ２５を押圧した状態とすることができる。そのため、光ファイバ固定部２１の蓋１５を閉じると、光ファイバ２５は固定され、動かすことができなくなる。
【００２７】
また、溝１１の形状は、Ｕ字形状としてもよい。溝１１の形状をＵ字形状にした場合は、溝１１の底部から光ファイバ２５の上部までの距離は０．２５ｍｍである。すなわち、光ファイバ非固定部２３では溝１１の底部から蓋１６までの距離を０．２５ｍｍ以上とし、光ファイバ固定部２１では溝１１の底部から蓋１５までの距離を０．２５ｍｍ未満とすることで、同様に光ファイバ２５を把持することができる。
【００２８】
次に、図４−７を参照して、本実施例による光ファイバホルダ１０を用いて、通常のカッタで光ファイバ２５を切断する例を説明する。ここでは、光ファイバ２５の被覆を除去して露出させたガラス２７の長さを２０ｍｍ以上とし、光ファイバホルダ１０の延伸部１９の長さを４０ｍｍ以上とする。
【００２９】
先ず、図４に示すように、光ファイバ非固定部２３の蓋１６と、光ファイバ固定部２１の蓋１５を開けて、溝１１へ光ファイバ２５を設置する。次に、図５に示すように、光ファイバ非固定部２３の蓋１６のみを閉じて光ファイバ２５を把持する。ここでは、光ファイバ固定部２１の蓋１５は開けたままとする。この状態では、光ファイバ２５を長手方向に動かすことができ、光ファイバ２５を動かして被覆除去開始箇所３１を延伸部１９の先端３３と一致させる。その後、光ファイバ固定部２１の蓋１５を閉じて、光ファイバ２５を固定する。このとき、延伸部１９の長さが４０ｍｍ以上であるため、光ファイバ非固定部２３の端部から光ファイバ先端部までの長さＬ２は必ず４０ｍｍ以上となっている。
【００３０】
次いで、図６に示すように、光ファイバ２５を把持した光ファイバホルダ１０の延伸部１９を、カッタ４０の光ファイバホルダ搭載位置４１へ載せる。通常のカッタ４０は、光ファイバホルダ搭載位置４１へ載せた光ファイバホルダ１０を上から押えて固定する構造になっており、ここでは、延伸部１９を上から押えることで光ファイバホルダ搭載位置４１に光ファイバホルダ１０を固定する。光ファイバホルダ１０をカッタ４０へ固定した後、カッタ４０の刃４３により光ファイバ２５のガラス２７を切断する。
【００３１】
図７に、切断後の光ファイバ２５を把持した状態の光ファイバホルダ１０を示す。図４または図５と比較して、ガラス２７は切断されて短くなっている。このように、通常のカッタ４０を用いて光ファイバ２５を切断しても、切断前後において光ファイバホルダ１０から光ファイバ２５を取り外すことなく、光ファイバ２５を把持した端部から光ファイバ切断面までの長さを４０ｍｍ以上とすることができる。
【００３２】
図８に、図７に示した光ファイバホルダ１０の状態のままで、光コネクタ５０へ光ファイバ２５を挿入して光コネクタ５０を組み立てるときの模式図を示す。光ファイバ２５を把持した光ファイバホルダ１０を光コネクタ５０へ向って前進させて、光ファイバ２５を光コネクタ５０内へ挿入した状態である。このとき、光コネクタ５０は２本の延伸部１９の間に位置する。光コネクタ５０の幅は９ｍｍ未満であるため、延伸部１９の間は９ｍｍ以上とする。光ファイバホルダ１０から片持ち梁の状態で把持した光ファイバ２５を所定の長さだけ光コネクタ５０内へ挿入して、光ファイバ把持部５１で光ファイバ２５を固定することで光コネクタ５０が完成する。
【００３３】
（実施例２）
図９に、本発明の実施例２に係る光ファイバホルダ６０を示す。光ファイバホルダ６０は、光ファイバを設置する溝６１を有する基板６３と、基板６３の溝６１を開閉自在に覆う２個の蓋６５、６６とで構成される。また、基板６３は、可動部６７、固定部６９、および固定部６９から延伸した２本の延伸部７１から構成される。可動部６７と固定部６９はそれぞれ、溝６１と蓋６５、６６を有する。また、蓋６５、６６と基板６３には磁石が内蔵されており、互いに吸着する。また、可動部６７の基板６３側面の可動用突起７５が、延伸部７１の内側側面の可動用溝７３に遊嵌されることによって、２本の延伸部７１の間で可動部６７を延伸部７１の長手方向にに動かすことができる。また、可動部６７の蓋６５は、可動部６７の基板６３と開閉自在に固定されているため、基板６３と共に動かすことができる。図１０に、光ファイバ２５を把持した光ファイバホルダ６０を示す。光ファイバ２５は、被覆を除去してガラス２７を露出させた側が可動部６７側に位置するように把持される。
【００３４】
図１１に、光ファイバを把持した状態の可動部６７の断面図（ａ）と固定部６９の断面図（ｂ）を示す。可動部６７と固定部６９における溝６１の形状はＶ字形状であり、溝６１の底部の角度は６０度である。また、可動部６７と固定部６９において、溝６１の深さは同じである。可動部６７は、蓋６５が矩形状の溝７７を有するので、光ファイバ２５を緩く把持する。一方、固定部６９は、光ファイバ２５を動かない状態で把持する。例えば、底部の角度が６０度であるＶ字形状の溝６１に直径０．２５ｍｍの光ファイバ２５を設置する場合、溝６１の底部から光ファイバ２５の上部までの距離は０．３７５ｍｍである。可動部６７では、溝６１の底部から蓋６５までの距離を０．３７５ｍｍ以上とすることで、蓋６５が溝６１に対して光ファイバ２５を押圧していない状態とすることができる。
【００３５】
上述したように、可動部６７では、蓋６５に矩形状の溝７７を設けているため、蓋６５を閉じたときに光ファイバ２５を溝６１に対して押圧せずに緩く把持した状態となる。そのため、蓋６５を閉じても光ファイバ２５を長手方向に動かすことができる。一方、固定部６９では、溝６１の底部から蓋６６までの距離を０．３７５ｍｍ未満とすることで、蓋６６が溝６１に対して光ファイバ２５を押圧した状態とすることができる。そのため、固定部６９の蓋６６を閉じると、光ファイバ２５は固定され、動かすことができなくなる。
【００３６】
また、溝６１の形状は、Ｕ字形状としてもよい。溝６１の形状をＵ字形状にした場合は、溝６１の底部から光ファイバ２５の上部までの距離は０．２５ｍｍである。すなわち、可動部６７では溝６１の底部から蓋６５までの距離を０．２５ｍｍ以上とし、固定部６９では溝６１の底部から蓋６６までの距離を０．２５ｍｍ未満とすることで、同様に光ファイバ２５を把持することができる。
【００３７】
次に、図１２−１５を参照して、本実施例による光ファイバホルダ６０を用いて、通常のカッタで光ファイバ２５を切断する例を説明する。ここでは、光ファイバ２５の被覆を除去して露出させたガラス２７の長さを２０ｍｍ以上とし、光ファイバホルダの延伸部７１の長さを４０ｍｍ以上とする。
【００３８】
先ず、可動部６７の蓋６５と、固定部６９の蓋６６を開けて、溝６１へ光ファイバ２５を設置する。次に、図１２に示すように、可動部６７を延伸部７１の先端位置へ移動させ、可動部６７の蓋６５のみを閉じて光ファイバ２５を把持する。ここでは、固定部６９の蓋６６は開けたままとする。この状態では、光ファイバ２５は固定されていないため、光ファイバ２５を長手方向に動かすことが可能である。次に、光ファイバ２５を動かして被覆除去開始箇所７９と延伸部の先端７８を一致させた後、図１３に示すように固定部６９の蓋６６を閉じて、光ファイバ２５を固定する。このとき、延伸部７１の長さは４０ｍｍ以上であるため、固定部６９から光ファイバ２５の先端部までの長さは必ず４０ｍｍ以上となっている。このように、延伸部の先端７８まで移動させた可動部６７で光ファイバ２５を緩く把持した状態であれば、巻き癖が付いて湾曲した光ファイバ２５であっても、所定の長さに調整して把持する作業は容易である。
【００３９】
次いで、図１４に示すように、可動部６７を延伸部７１の先端位置へ移動させて光ファイバ２５を把持した光ファイバホルダ６０を、カッタ４０の光ファイバホルダ搭載位置４１へ載せる。通常のカッタ４０は、上述したように、光ファイバホルダ搭載位置４１へ載せた光ファイバホルダ６０を上から押えて固定する構造になっており、ここでは、延伸部７１を上から押えることで光ファイバ搭載位置４１に光ファイバホルダ６０を固定する。なお、カッタ４０へ光ファイバホルダ６０を載せるときの可動部６７の位置は、延伸部７１の先端位置でも、固定部６９に近い位置でも、どちらでも良い。光ファイバホルダ６０をカッタ４０へ固定した後、カッタ４０の刃４３により光ファイバ２５のガラス２７を切断する。
【００４０】
図１５に、切断後の光ファイバ２５を把持した状態の光ファイバホルダ６０を示す。ここでは、可動部６７は固定部６９に近い位置に移動させている。このように、光ファイバ２５を把持した可動部６７の端部から光ファイバ２５の切断面までの長さを４０ｍｍ以上とすることができる。
【００４１】
図１６に、図１５に示した光ファイバホルダ６０の状態のままで、光コネクタ５０へ光ファイバ２５を挿入して光コネクタ５０を組み立てるときの模式図を示す。光ファイバ２５を把持した光ファイバホルダ６０を光コネクタ５０へ向って前進させて、光ファイバ２５を光コネクタ５０内へ挿入する。このとき、光コネクタ５０は２本の延伸部７１の間に位置する。光コネクタ５０の幅は９ｍｍ未満であるため、延伸部７１の間は９ｍｍ以上とする。光ファイバホルダ６０から片持ち梁の状態で把持した光ファイバ２５を所定の長さだけ光コネクタ５０内へ挿入して、光ファイバ把持部５１で光ファイバ２５を固定することで、光コネクタ５０が完成する。
【００４２】
以上、説明したように、本発明の光ファイバホルダを使用することで、光コネクタ内に４０ｍｍ以上の光ファイバを挿入する必要がある場合でも、光ファイバ先端部を光ファイバホルダの端部から４０ｍｍ以上の長さとなる状態で光ファイバを把持した状態のまま、通常のカッタで光ファイバを切断することができる。また、光ファイバホルダ端部から光ファイバ先端部までの長さを４０ｍｍ以上として光ファイバを把持する際に、光ファイバを押圧しない状態で緩く把持できるため、湾曲した光ファイバであっても、光ファイバホルダ端部からの光ファイバ先端部までの長さを調整して、光ファイバを把持する作業が容易になる。
【符号の説明】
【００４３】
１０、６０、１００  光ファイバホルダ
１１、６１、１０３  溝
１３、６３、１０５  基板
１５、１６、６５、６６、１０７  蓋
１７  光ファイバ設置部
１９、７１  延伸部
２１  光ファイバ固定部
２３  光ファイバ非固定部
２５、１０１  光ファイバ
２７、１０２  ガラス
２９、７７  矩形状の溝
３１  被覆除去開始箇所
３３  延伸部の先端
４０、１１１、１２１  カッタ
４１、１１３、１２３  光ファイバホルダ搭載位置
４３、１１５、１２７  刃
５０  光コネクタ
５１  光ファイバ把持部
６７  可動部
６９  固定部
７３  可動用溝
７５  可動用突起
７８  延伸部の先端
７９、１１７  被覆除去開始箇所
１２５  光ファイバホルダ搭載位置の延伸部
【図１】
2011169975.tif 000003
【図２】
2011169975.tif 000004
【図３】
2011169975.tif 000005
【図４】
2011169975.tif 000006
【図５】
2011169975.tif 000007
【図６】
2011169975.tif 000008
【図７】
2011169975.tif 000009
【図８】
2011169975.tif 000010
【図９】
2011169975.tif 000011
【図１０】
2011169975.tif 000012
【図１１】
2011169975.tif 000013
【図１２】
2011169975.tif 000014
【図１３】
2011169975.tif 000015
【図１４】
2011169975.tif 000016
【図１５】
2011169975.tif 000017
【図１６】
2011169975.tif 000018
【図１７】
2011169975.tif 000019
【図１８】
2011169975.tif 000020
【図１９】
2011169975.tif 000021
【図２０】
2011169975.tif 000022